(57)【要約】【課題】シーツに様々な機能を付与することができ、既存設備の一部を改造することによって容易に製作できるランドリー装置を提供する。【解決手段】洗濯後のシーツＳが搬入され、これを張り拡げて搬出する張り拡げ機１６を備える。張り拡げ機１６から搬出されたシーツＳを加熱されたプレス機２４でアイロン掛けするアイロン装置２０を備える。プレス機２４に投入される前の張り拡げられたシーツＳに向けて機能性液体１８ａを噴霧する噴霧装置１８を備える。機能性液体１８ａは、防炎処理用又は芳香処理用の液体である。【選択図】図１
2018078934.tif 000002
【特許請求の範囲】
【請求項１】
洗濯後のシーツが搬入され、これを張り拡げて搬出する張り拡げ機と、前記張り拡げ機から搬出された前記シーツを加熱されたプレス機でアイロン掛けするアイロン装置と、前記プレス機に投入される前の張り拡げられた前記シーツに向けて機能性液体を噴霧する噴霧装置とを備えることを特徴とするシーツ用のランドリー装置。
【請求項２】
前記噴霧装置は、前記張り拡げ機に設けられている請求項１記載のシーツ用のランドリー装置。
【請求項３】
前記噴霧装置は、前記張り拡げ機と前記アイロン装置との間に設けられた搬出コンベア上に設置され、前記搬出コンベア上を移動する前記シーツに向けて前記機能性液体を噴霧する請求項１又は２記載のシーツ用のランドリー装置。
【請求項４】
前記噴霧装置は、前記アイロン装置に設けられている請求項１記載のシーツ用のランドリー装置。
【請求項５】
前記機能性液体は、防炎処理用又は芳香処理用の液体である請求項１乃至４のいずれか記載のシーツ用のランドリー装置。
【発明の詳細な説明】
【技術分野】
【０００１】
本発明は、リネンサプライに使用されるシーツ用のランドリー装置に関する。
【背景技術】
【０００２】
従来、例えば特許文献１に開示されているように、洗濯後のシーツ等を張り拡げる張り拡げ機、張り拡げられたシーツ等をアイロン掛けするロールアイロナ、アイロン掛けされたシーツ等を折り畳む折り畳み機等を備えたランドリー装置があった。このランドリー装置は、しみ等の欠陥を判別する出力器がロールアイロナの前段に設けられ、欠陥のあるシーツ等をアイロン掛けの前に排除する機能を有している。
【０００３】
特許文献１のロールアイロナは、通常のシーツ（特別な処理が施されていない汎用シーツ）等を対象にした装置であるのに対し、特許文献２は、防炎加工製品のシーツ（あらかじめ防炎処理が施されたシーツ）等をアイロン掛けする場合のアイロン仕上げ方法を開示している。このアイロン仕上げ方法は、プレス機の表面に特定の水溶液を平滑剤として塗布することにより、防炎加工製品がアイロン用のプレス機内を走行しやすくしているという特徴がある。
【先行技術文献】
【特許文献】
【０００４】
【特許文献１】特開平６−６３３００号公報
【特許文献２】特開昭６２−１４１１８１号公報
【発明の概要】
【発明が解決しようとする課題】
【０００５】
介護施設等の社会福祉施設では、火災の発生を防止のため、カーテンやじゅうたんに防炎加工製品を使用することが義務化されている。一方、シーツ等の寝具については義務化されていないが、カーテン等と同様に、防炎加工製品を使用することが好ましい。しかし、予め防炎加工を施した繊維製品のシーツは比較的高価なので、社会福祉施設において実際に購入して使用することは難しいものであった。
【０００６】
社会福祉施設では、シーツ等を購入するのではなく、洗濯サービス付きでレンタルするケースが多い。ただ、防炎加工製品のシーツは、特許文献１に開示されているような通常のランドリー装置では対応できず、特許文献２に記載されているような特別な方法や装置を導入しなければならないので、防炎加工製品のシーツを取り扱うリネンサプライ業者はごく限られ、コストも高いものである。したがって、社会福祉施設は、防炎加工製品のシーツをレンタルすることも難しいという状況であった。
【０００７】
また、近年、防炎性が付与されたシーツ以外に、例えば芳香性等の機能が付与されたシーツの需要も増えており、これらの需要に容易に対応できる技術が求められていた。
【０００８】
本発明は、上記背景技術に鑑みて成されたものであり、シーツに様々な機能を付与することができ、既存設備の一部を改造することによって容易に製作できるランドリー装置を提供することを目的とする。
【課題を解決するための手段】
【０００９】
本発明は、洗濯後のシーツが搬入され、これを張り拡げて搬出する張り拡げ機と、前記張り拡げ機から搬出された前記シーツを加熱されたプレス機でアイロン掛けするアイロン装置と、前記プレス機に投入される前の張り拡げられた前記シーツに向けて機能性液体を噴霧する噴霧装置とを備えたシーツ用のランドリー装置。である。
【００１０】
前記噴霧装置は、前記張り拡げ機に設けられている。特に、前記張り拡げ機と前記アイロン装置との間に設けられた搬出コンベア上に設置され、前記搬出コンベア上を移動する前記シーツに向けて前記機能性液体を噴霧する構成であると良い。あるいは、前記アイロン装置に設けられていても良い。また、前記機能性液体は、例えば、防炎処理用又は芳香処理用の液体である。
【発明の効果】
【００１１】
本発明のランドリー装置は、特にリネンサービスの用途に適した装置で、既存の設備に所定の噴霧装置を付設することにとって安価に製作することができる。また、シーツは頻繁に洗濯されるものなので、シーツに付与する機能（防炎性、芳香性等）は、所定の短い期間だけ維持されるものであればよい。したがって、機能性液体の種類ごとに、機能性液体の濃度、噴霧装置による噴霧量、アイロン装置のプレス圧や加熱温度等を適宜調節することで、通常のシーツに対し、必要十分な機能を効率よく安価に付与することができる。
【図面の簡単な説明】
【００１２】
【図１】本発明のシーツ用のランドリー装置の一実施形態を示す概略正面図である。
【発明を実施するための形態】
【００１３】
以下、本発明のシーツ用のランドリー装置の一実施形態について説明する。この実施形態のランドリー装置１０は、防炎加工製品等ではない通常のシーツＳを対象にした装置であり、洗濯脱水機１２、乾燥機１４、張り拡げ機１６、噴霧装置１８、アイロン装置２０及び折り畳み機２２で構成され、図１に示すように、各装置が工程順に設置されている。
【００１４】
まず、使用済みのシーツＳが洗濯脱水機１２に投入され、洗濯と脱水を行った後、乾燥機１４に投入される。そして、乾燥機１４で半乾燥状態になったシーツＳが、張り拡げ機１６に投入され、張り拡げられて搬出コンベア１６ａから搬出される。
【００１５】
噴霧装置１８は、搬出コンベア１６ａ上を移動するシーツＳに向けて機能性液体１８ａを噴霧する装置で、張り拡げ機１６の外側面の、搬出コンベア１６ａの上方に取り付けられている。機能性液体１８ａは、例えば、市販されている防炎加工剤や芳香剤等の溶液である。搬出コンベア１６ａは、例えば、メッシュ構造のベルトを有していると良い。
【００１６】
機能性液体１８ａが供給されたシーツＳは、アイロン装置２０に投入されてアイロン掛けされる。アイロン装置２０は、シーツＳを搬入する搬入コンベア２０ａと、加熱されたロール２４ａ及びチェスト２４ｂの間でシーツＳをプレスして乾燥させるプレス機２４（例えばロールアイロナ）と、シーツＳを搬出する搬出コンベア２０ｂとで構成されている。機能性液体１８ａ中の防炎加工剤や芳香処理剤は、プレス機２４でアイロン掛けされることによってシーツＳに定着する。そして、処理済みのシーツＳが張り拡げられた状態で搬出コンベア２２ａから搬出される。
【００１７】
その後、シーツＳは、搬入コンベア２２ａを通じて折り畳み機２２に投入され、折り畳まれた状態で搬出される。
【００１８】
機能性液体１８ａの濃度、噴霧装置１８による噴霧量、プレス機２４のプレス圧や加熱温度の設定等は、機能性液体１８ａの種類に合わせて適宜調節される。機能性液体１８ａは、濃すぎたり噴霧量が多すぎたりすると、プレス機２４にシーツが貼り付きやすくなる等の不都合が発生しやすくなるが、噴霧装置１８による噴霧量は、容易に調節することができる。
【００１９】
以上説明したように、本発明のシーツ用のランドリー装置１０は、既存の設備（洗濯脱水機１２、乾燥機１４、張り拡げ機１６、アイロン装置２０及び折り畳み機２２）に噴霧装置１８を付設することにとって安価に製作することができる。洗濯後のシーツＳに機能性液体１８ａを供給する方法として、例えば、シーツＳを機能性液体１８ａの中に浸漬するという方法が考えられるが、連続した装置として構成しにくく、非常に作業性が悪く、しかも脱水したシーツＳに付着した機能性液体１８ａを再度脱水して、適切な付着量に管理しなければならず、面倒なものである。これに対して、噴霧装置１８を使用することによって、適切な量の機能性液体１８ａをシーツＳに効率よく供給することができる。
【００２０】
また、シーツＳは頻繁に洗濯されるものなので、シーツＳに付与する機能（防炎性、芳香性等）は、所定の短い期間だけ維持されるものであればよい。したがって、機能性液体１８ａの種類ごとに、機能性液体１８ａの濃度、噴霧装置１８による噴霧量、プレス機２４のプレス圧や加熱温度等を適宜調節することで、通常のシーツＳに対し、必要十分な機能を効率よく安価に付与することができる。例えば、防炎加工製品のシーツは、防炎性が長期間維持されるように製作されており、硬くて肌触りがよくないが、ランドリー装置１０を使用することによって、通常にシーツに近い使用感の防炎性シーツを提供することができる。
【００２１】
なお、本発明のシーツ用のランドリー装置は、上記実施形態に限定されるものではない。例えば、噴霧装置の位置は、機能性液体を、プレス機に投入される前の張り拡げられたシーツに向けて噴霧できる位置であればよい。したがって、上記噴霧装置１８のように張り拡げ機１６と一体に設けてもよいし、アイロン装置（例えば、筐体内部のプレス機の前段の位置等）に一体に設けてもよい。あるいは、ランドリー装置の設置スペースに余裕があれば、噴霧装置を、張り拡げ機及びアイロン装置と別々に設けてもよい。
【００２２】
アイロン装置は、上記のようなロールアイロナの構成に限定されない。また、洗濯脱水機、乾燥機及び折り畳み機の具体的な構成は特に限定されず、選択的に省略することも可能である。
【００２３】
機能性液体は、上記のように、防炎処理用又は芳香処理用の液体が適しており、シーツ用に多くの需要が見込まれる。これ以外にも、アイロン掛けによって定着させることができるものであれば、他の機能を付与する液体を使用してもよい。
【符号の説明】
【００２４】
１０  シーツ用のランドリー装置
１６  張り拡げ機
１８  噴霧装置
１８ａ  機能性液体
２０  アイロン装置
２４  プレス機
Ｓ  シーツ
【図１】
2018078934.tif 000003